(57)【要約】【課題】照明装置を備える遊技機において、低コスト化および演出効果を向上する。【解決手段】基板２００の後面に配置される第１光源２０２ａ、２０２ｂと、基板の後面側に配置され、第１光源２０２ａ、２０２ｂから出射された光を内部に入射させる第１入光部３０２ａ、３０４ａと、第１入光部３０２ａ、３０４ａから入射した光によって発光し、基板の前面側に配置される第１発光部３０２ｂ、３０４ｂと、第１入光部３０２ａ、３０４ａから入射した光を第１発光部３０２ｂ、３０４ｂへと導く第１導光部３０２、３０４とを有する導光体３００と、を備える照明装置を備えた遊技機。【選択図】図３
2020028377.tif 000002
【特許請求の範囲】
【請求項１】
照明装置を備えた遊技機であって、
前記照明装置は、
基板に配置される光源と、
前記光源から出射された光を内部に入射させる入光部と、前記入光部から入射した光によって発光する発光部と、前記入光部から入射した光を前記発光部へと導く導光部とを有する導光体と、
を備え、
前記光源は、前記基板の後面側に配置される少なくとも１以上の第１光源を有し、
前記入光部は、前記基板の後面側に配置される第１入光部を有し、
前記発光部は、前記基板の前面側に配置される第１発光部を有し、
前記導光部は、前記第１光源から出射され、前記第１入光部から入射した光を前記第１発光部へと導く第１導光部を有する遊技機。
【請求項２】
前記基板は、前記基板の前面と後面とを貫通する貫通部を有し、
前記第１導光部は、前記貫通部に挿入される請求項１に記載の遊技機。
【請求項３】
前記光源は、前記基板の前面側に配置される少なくとも１以上の第２光源を有し、
前記入光部は、前記基板の前面側に配置される第２入光部を有し、
前記発光部は、前記基板の前面側に配置される第２発光部を有し、
前記導光部は、前記第２光源から出射され、前記第２入光部から入射した光を前記第２発光部へと導く第２導光部を有し、
前記第２光源から前記基板の前面に平行な方向に出射した光が入射可能な位置に前記第２入光部が配置される請求項１または２に記載の遊技機。
【発明の詳細な説明】
【技術分野】
【０００１】
本発明は、照明装置を備えた遊技機に関する。
【背景技術】
【０００２】
従来、始動口に遊技球が入球すると保留情報が記憶部に記憶されるとともに、始動条件の成立により、記憶部に記憶された保留情報が順次読み出されて大役抽選が行われ、この大役抽選により大当たりに当選すると、大入賞口が開放される大役遊技が実行可能となる遊技機が知られている。こうした遊技機には、照明装置が設けられており、大役抽選の結果を報知する変動演出や、大役遊技中に実行される大役演出等において、さまざまな実行パターンで照明装置を点灯させることにより、演出効果の向上が図られている。
【０００３】
例えば、特許文献１には、発光ダイオード等からなる光源からの光を、光軸と平行な平坦面および光軸と所定の角度を有する傾斜面等により反射することにより、光源から発せられる光の均一化を図るようにした遊技機が開示されている。
【先行技術文献】
【特許文献】
【０００４】
【特許文献１】特許第５７３９１８６号公報
【発明の概要】
【発明が解決しようとする課題】
【０００５】
しかしながら、従来の照明装置においては、構造が複雑となって製造コストが上昇するという問題があったため、低コスト化および演出効果の向上の双方を満足することができなかった。
【０００６】
本発明は、低コスト化および演出効果を向上することができる遊技機の提供を目的とする。
【課題を解決するための手段】
【０００７】
上記課題を解決するために、本発明の遊技機は、照明装置を備えた遊技機であって、前記照明装置は、基板に配置される光源と、前記光源から出射された光を内部に入射させる入光部と、前記入光部から入射した光によって発光する発光部と、前記入光部から入射した光を前記発光部へと導く導光部とを有する導光体と、を備え、前記光源は、前記基板の後面側に配置される少なくとも１以上の第１光源を有し、前記入光部は、前記基板の後面側に配置される第１入光部を有し、前記発光部は、前記基板の前面側に配置される第１発光部を有し、前記導光部は、前記第１光源から出射され、前記第１入光部から入射した光を前記第１発光部へと導く第１導光部を有する。
【０００８】
また、前記基板は、前記基板の前面と後面とを貫通する貫通部を有し、前記第１導光部は、前記貫通部に挿入されるとよい。
【０００９】
また、前記光源は、前記基板の前面側に配置される少なくとも１以上の第２光源を有し、前記入光部は、前記基板の前面側に配置される第２入光部を有し、前記発光部は、前記基板の前面側に配置される第２発光部を有し、前記導光部は、前記第２光源から出射され、前記第２入光部から入射した光を前記第２発光部へと導く第２導光部を有し、前記第２光源から前記基板の前面に平行な方向に出射した光が入射可能な位置に前記第２入光部が配置されるとよい。
【発明の効果】
【００１０】
本発明の遊技機によれば、照明装置を備える遊技機において、低コスト化および演出効果を向上することができる。
【図面の簡単な説明】
【００１１】
【図１】扉が開放された状態を示す遊技機の斜視図である。
【図２】遊技機の正面図である。
【図３】照明装置の概略図である。
【図４】基板の前面図および後面図である。
【図５】導光体の斜視図である。
【図６】照明装置の斜視図である。
【図７】照明装置の部分拡大図である。
【発明を実施するための形態】
【００１２】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１３】
図１は、本実施形態の遊技機１の斜視図であり、扉が開放された状態を示している。図示のように、遊技機１は、略矩形状に組まれた四辺によって囲繞空間が形成される外枠２と、この外枠２にヒンジ機構によって開閉自在に取り付けられた中枠３と、この中枠３と同様に、ヒンジ機構によって外枠２に開閉自在に取り付けられた前枠４と、を備えている。
【００１４】
中枠３は、外枠２と同様に、略矩形状に組まれた四辺によって囲繞空間が形成されており、この囲繞空間に遊技盤５が保持されている。また、前枠４には、ガラス製または樹脂製の透過板６が保持されている。そして、これら中枠３および前枠４を外枠２に対して閉じると、遊技盤５と透過板６とが所定の間隔を維持して略平行に対面するとともに、遊技機１の正面側から、透過板６を介して遊技盤５が視認可能となる。
【００１５】
図２は、遊技機１の正面図である。図１に示すように、前枠４の下部には、遊技機１の正面側に突出する操作ハンドル７が設けられており、この操作ハンドル７を遊技者が操作すると、当該操作ハンドル７の操作量に応じた強度で、不図示の発射装置によって遊技球が発射される。このようにして発射された遊技球は、遊技盤５に設けられたレール８ａ、８ｂ間を上昇して遊技領域９に導かれることとなる。
【００１６】
遊技領域９は、遊技盤５と透過板６との間隔に形成される空間であって、遊技球が流下または転動可能な領域である。遊技盤５には、多数の釘や風車が設けられており、遊技領域９に導かれた遊技球が釘や風車に衝突して、不規則な方向に流下、転動するようにしている。
【００１７】
遊技領域９には、遊技球が入賞可能な一般入賞口１０、第１始動口１１、第２始動口１２が設けられており、これら一般入賞口１０、第１始動口１１、第２始動口１２に遊技球が入賞すると、それぞれ所定の賞球が遊技者に払い出される。
【００１８】
なお、第１始動口１１または第２始動口１２に遊技球が入賞すると特別図柄の抽選が行われ、遊技者にとって有利な特別遊技の実行可否や、以後の遊技状態をどのような遊技状態にするかといった種々の遊技利益（状態）が決定される。したがって、遊技者は、第１始動口１１または第２始動口１２に遊技球が入賞すると、所定の賞球を獲得するのと同時に、種々の遊技利益を受ける権利獲得の機会を獲得することとなる。また、第２始動口１２は、可動片１２ｂを開閉可能に備えており、この可動片１２ｂの状態に応じて、第２始動口１２への遊技球の進入容易性が変化するようになっている。
【００１９】
さらに、遊技領域９にはアタッカー装置１３が設けられている。このアタッカー装置１３は、遊技球が入賞可能な大入賞口１４と、この大入賞口１４を開閉する開閉扉１４ｂと、を備えており、通常、開閉扉１４ｂが大入賞口１４を閉扉して、大入賞口１４への遊技球の入賞が不可能となっている。これに対して、所定条件が成立して特別遊技が実行されると、開閉扉１４ｂが開放されて、大入賞口１４への遊技球の入賞が可能となる。そして、大入賞口１４に遊技球が入賞すると、所定の賞球が遊技者に払い出される。
【００２０】
なお、遊技領域９の最下部には、一般入賞口１０、第１始動口１１、第２始動口１２、大入賞口１４のいずれにも入賞しなかった遊技球を、遊技領域９から遊技盤５の背面側に排出する排出口１５が設けられている。
【００２１】
そして、上記の遊技盤５の中央には、遊技機１の正面側から背面側に貫通する貫通孔５ａが形成されており、遊技盤５の背面に固定された液晶表示装置からなる演出表示部１６が、貫通孔５ａを介して遊技機１の正面側から視認可能に配置されている。この演出表示部１６には種々の画像が表示されるが、特に、上記の第１始動口１１または第２始動口１２に遊技球が入球した場合には、演出図柄が変動表示されて大当たりの抽選結果が遊技者に報知されることとなる。
【００２２】
また、遊技盤５の貫通孔５ａの上方には、さまざまな点灯態様や発光色に制御される光源を有し、装飾部品として用いられる照明装置１００が設けられている。なお、照明装置１００が設けられる位置は、貫通孔５ａの上方に限られず、貫通孔５ａの下方であってもよいし、貫通孔５ａの左右方向に設けるものでもよく、特に限定されない。
【００２３】
図３は、照明装置１００の概略図である。なお、図３は、図２において照明装置１００を左右方向で切断した場合の概略断面図を示している。また、図３中における点線矢印は、各光源から出射された光の進行方向を示している。図３に示すように、照明装置１００は、主に、基板２００と導光体３００とを備えている。非透光部材からなる基板２００には、ＬＥＤである第１光源２０２ａ、２０２ｂ、第２光源２０４ａ、２０４ｂ、第３光源２０６が設けられている。なお、各光源の発光体はＬＥＤに特に限定されない。
【００２４】
図４は基板２００の前面図および後面図である。図４（ａ）、（ｂ）に示すように、基板２００は平板形状であり、基板２００には、貫通部である貫通孔２１０、２１２が形成されている。貫通孔２１０は、基板２００の左側に位置し、貫通孔２１２は、基板２００の右側に位置する。また、貫通孔２１０は、貫通孔２１２よりも、全長が長くなるように形成されている。また、貫通孔２１０は、貫通孔２１２よりも、面積が大きくなるように形成されている。
【００２５】
図４（ｂ）に示すように、第１光源２０２ａ、２０２ｂは、基板２００の後面側に設けられる。具体的には、基板２００の後面側において、貫通孔２１２に沿うように、貫通孔２１２と所定の距離を開けて、第１光源２０２ａが配置されている。具体的には、第１光源２０２ａは、貫通孔２１２に左側に５個が配置される。一方、基板２００の後面側において、貫通孔２１０に沿うように、貫通孔２１０と所定の距離を開けて、第１光源２０２ｂが配置されている。具体的には、第１光源２０２ｂは、貫通孔２１０の右側に３個、左側に７個がそれぞれ配置される。
【００２６】
また、図４（ａ）に示すように、第２光源２０４ａ、２０４ｂおよび第３光源２０６は、基板２００の前面側に設けられている。具体的には、基板２００の前面側において、貫通孔２１２の右側であって、基板２００の右側の縁部近傍に、第２光源２０４ａが３個配置される。また、基板２００の前面側において、貫通孔２１０の左側であって、基板２００の左側の縁部近傍に第２光源２０４ｂが５個配置される。そして、基板２００の前面側において、貫通孔２１２と貫通孔２１０との間に、１７個の第３光源２０６が略等間隔に配置されている。
【００２７】
図５は導光体３００の斜視図である。導光体３００は、基板２００上に配置された各光源２０２ａ、２０２ｂ、２０４ａ、２０４ｂ、２０６から出射された光によって所望の発光形態で発光するものである。図５（ａ）、（ｂ）に示すように、導光体３００は、透光性を有する第１導光部３０２、３０４、第２導光部３０６、３０８、第３導光部３１０が一体成形された部材からなり、全体として略平板形状を有する。
【００２８】
第１導光部３０２、３０４は、第３導光部３１０および第２導光部３０６、３０８の前面および後面に垂直に起立して、導光体３００の略上下方向に向かって延在している。第３導光部３１０の右側には、第１導光部３０２を介して、第２導光部３０６が形成され、第３導光部３１０の左側には、第１導光部３０４を介して、第２導光部３０８が形成されている。
【００２９】
図３に示すように、第１導光部３０２は、導光体３００の後面側に位置し、導光体３００の後面に対して垂直に設けられた第１入光部３０２ａと、導光体３００の後面に対して斜めに設けられた第１反射部３０２ｃと、導光体３００の前面側に位置し、第１導光部３０２の先端に位置する第１発光部３０２ｂとを有する。また、第１導光部３０４は、導光体３００の後面側に位置し、導光体３００の後面に対して垂直に設けられた第１入光部３０４ａと、導光体３００の後面に対して斜めに設けられた第１反射部３０４ｃと、導光体３００の前面側に位置し、第１導光部３０４の先端に位置する第１発光部３０４ｂとを有する。
【００３０】
第３導光部３１０の前面から第１導光部３０２が突出する高さと、第３導光部３１０の前面から第１導光部３０４が突出する高さが等しくなるように形成される。また、第２導光部３０６の前面から第１導光部３０２が突出する高さと、第２導光部３０８の前面から第１導光部３０４が突出する高さが等しくなるように形成される。また、第３導光部３１０および第２導光部３０６、３０８の後面から第１導光部３０２が突出する高さと、第１導光部３０２が突出する高さが等しくなるように形成される。
【００３１】
第３導光部３１０および第２導光部３０６、３０８の前面から第１導光部３０２および第１導光部３０４が突出する高さの方が、第３導光部３１０および第２導光部３０６、３０８の後面から第１導光部３０２および第１導光部３０４が突出する高さより高くなるように形成される。
【００３２】
第１導光部３０２、３０４の面積または全長は、基板２００上に配置された第１光源２０２ａ、２０２ｂの個数に対応している。すなわち、上記したように、第１光源２０２ｂは、計１０個が配置されるのに対して、第１光源２０２ａは５個が配置されるため、第１導光部３０２の全長は、第１導光部３０４の全長よりも短くなるように形成されている。
【００３３】
図５に示すように、第２導光部３０６と第３導光部３１０との間には段差３１２が形成されており、第２導光部３０６は第３導光部３１０よりも後面側に突出している。また、第３導光部３１０の左側には、第１導光部３０４を介して、第２導光部３０８が形成される。第２導光部３０８と第３導光部３１０との間には段差３１４が形成されており、第２導光部３０８は第３導光部３１０よりも後面側に突出している。段差３１２、３１４を設けることで、第２発光部３０６ｂ、３０８ｂと、後述する第３発光部３１０ｂとの境界が明確になり、各発光部による演出を鮮明に表現することができる。
【００３４】
また、図３に示すように、第２導光部３０６は、導光体３００の右側面に位置し、導光体３００の前面に対して垂直に設けられた第２入光部３０６ａと、導光体３００の背面側に設けられ、凹凸形状に加工された第２反射部３０６ｃと、導光体３００の前面側に位置する第２発光部３０６ｂとを有する。また、第２導光部３０８は、導光体３００の左側面に位置し、導光体３００の前面に対して垂直に設けられた第２入光部３０８ａと、導光体３００の背面側に設けられ、凹凸形状に加工された第２反射部３０８ｃと、導光体３００の前面側に位置する第２発光部３０８ｂとを有する。また、第２発光部３０６ｂ、３０８ｂの表面は平坦に加工されている。
【００３５】
第３導光部３１０は、導光体３００の幅方向（左右方向）の中央部に位置する平坦な部材である。図３に示すように、第３導光部３１０は、導光体３００の後側面に位置し、表面が粗面加工された第３入光部３１０ａと、導光体３００の前面側に設けられ、表面が粗面加工された第３発光部３１０ｂとを有する。また、第２導光部３０６、３０８は、第１導光部３０２、３０４と平行になるように設けられている。
【００３６】
また、第２導光部３０６、３０８および第３導光部３１０の面積は、基板２００上に配置された第２光源２０４ａ、２０４ｂおよび第３光源２０６の個数に対応している。すなわち、上記したように、第２光源２０４ｂが５個配置されるのに対して、第２光源２０４ａが３個配置されるため、第２導光部３０６は、第２導光部３０８よりも面積が小さくなるように形成されている。また、上記したように第３光源２０６は１７個配置されるため、第２導光部３０６、３０８よりも第３導光部３１０の方が面積が大きくなるように形成されている。
【００３７】
図６は、照明装置１００の斜視図である。図６（ａ）、（ｂ）に示すように、第１導光部３０２、３０４が基板２００の貫通孔２１０、２１２にそれぞれ挿入される。このとき、図３に示すように、第２導光部３０６、３０８が基板２００の前面側の表面と面接触して固定される。一方、第３導光部３１０は、基板２００の前面側の表面と空間を隔てて対向している。また、第３導光部３１０と第３光源２０６とが直接接触しないように、第２導光部３０６、３０８よりも第３導光部３１０の方が、基板２００の前面から離隔される。
【００３８】
図７は、照明装置１００の部分拡大図である。図７に示すように、第１導光部３０４は、曲線を描くように形成されている。ここで、第１光源２０２ｂが第１導光部３０４の右側に配置されている箇所では、第１入光部３０４ａが第１導光部３０４の右側に配置されるとともに、第１反射部３０４ｃが第１導光部３０４の左側に配置される。
【００３９】
一方で、第１光源２０２ｂが第１導光部３０４の左側に配置されている箇所では、第１入光部３０４ａが第１導光部３０４の左側に配置されるとともに、第１反射部３０４ｃが第１導光部３０４の右側に配置される。ＬＥＤを基板２００上に配置する際には、ＬＥＤ同士が近接しすぎないように配置する必要がある。そこで、本実施例では、第１導光部３０４の周囲に配置される第１光源２０２ｂを、第１導光部３０４の右側および左側それぞれに配置することで、第１光源２０２ｂ同士が近接しすぎないようにすることが可能となる。
【００４０】
また、図３に示すように、各入光部３０２ａ、３０４ａ、３０６ａ、３０８ａ、３１０ａのうち、第１入光部３０２ａ、３０４ａが最も導光体３００の後面側に位置し、第３入光部３１０ａが最も導光体３００の前面側に位置する。一方、各発光部３０２ｂ、３０４ｂ、３０６ｂ、３０８ｂ、３１０ｂはすべて照明装置１００の前面側に位置するが、第１発光部３０２ｂ、３０４ｂが最も導光体３００の前面側に位置し、第２発光部３０６ｂ、３０８ｂが最も導光体３００の後面側に位置する。
【００４１】
次に、図３を用いて、各光源２０２ａ、２０２ｂ、２０４ａ、２０４ｂ、２０６から出射した光の進行方向について説明する。図３に示すように、基板２００の後面において、第１光源２０２ａから出射された光は、基板２００の前面（表面）に平行な方向に進み、第１入光部３０２ａから第１導光部３０２の内部に入射する。そして、第１導光部３０２の内部に入射した光は、第１反射部３０２ｃによって反射されて、進行方向が基板２００の前面に垂直な方向へと変化する。第１反射部３０２ｃによって反射された光は、第１導光部３０２の内部通って、第１発光部３０２ｂへと到達する。第１発光部３０２ｂへと到達した光は、基板２００の前面において、第１導光部３０２の外部へ発射される。
【００４２】
同様に、基板２００の後面において、第１光源２０２ｂから出射された光は、基板２００の前面（表面）に平行な方向に進み、第１入光部３０４ａから第１導光部３０４の内部に入射する。そして、第１導光部３０４の内部に入射した光は、第１反射部３０４ｃによって反射されて、進行方向が基板２００の前面に垂直な方向へと変化する。第１反射部３０４ｃによって反射された光は、第１導光部３０４の内部通って、第１発光部３０４ｂへと到達する。第１発光部３０４ｂへと到達した光は、基板２００の前面において、第１導光部３０４の外部へ発射される。
【００４３】
上記したように、第１反射部３０２ｃ、３０４ｃは、導光体３００の後面に対して斜めの形状を有するため、第１入光部３０２ａ、３０４ａから第１導光部３０２、３０４内に入射した光が、第１反射部３０２ｃ、３０４ｃにおいて全反射する。
【００４４】
このようにして、貫通孔２１０に挿入された第１導光部３０２、３０４によって、基板２００の後面で発射され、第１入光部３０２ａ、３０４ａから入射した光が、基板２００の前面へと導かれる。
【００４５】
また、第１発光部３０２ｂ、３０４ｂから発射される光は、第１導光部３０２、３０４の前後方向の延在方向に沿って真っすぐに出射するため、第１導光部３０２、３０４の左右方向にほぼ拡散せず、第１光源２０２ａ、２０２ｂから出射した光が基板２００の表面を照射することはほぼない。
【００４６】
また、第１発光部３０２ｂ、３０４ｂは、基板２００の前面から離れる方向に向かって尖った形状を有する。そのため、遊技者には、第１発光部３０２ｂ、３０４ｂが線状に発光しているように見えることとなる。さらに、第１発光部３０２ｂ、３０４ｂの尖った形状の表面を粗面加工することで、第１導光部３０２、３０４の第１発光部３０２ｂ、３０４ｂの形状に沿って連なった発光を可能にしている。また、第１発光部３０２ｂ、３０４ｂにおける粗面加工と、第３発光部３１０ｂにおける粗面加工とを、異なる粗面加工とすることで、遊技者に異なった発光態様を表現することができる。
【００４７】
また、図３に示すように、基板２００の前面における右側の縁付近に配置された、第２光源２０４ａから出射された光は、基板２００の中央部に向かって、基板２００の前面（表面）に平行な方向に進み、第２入光部３０６ａから第２導光部３０６の内部に入射する。そして、第２導光部３０６の内部に入射した光は、第２反射部３０６ｃによって反射されて、進行方向が基板２００の前面に垂直な方向へと変化する。第２反射部３０６ｃによって反射された光は、第２導光部３０６の内部通って、第２発光部３０６ｂへと到達する。第２発光部３０６ｂへと到達した光は、基板２００の前面において、第２導光部３０６の外部へ発射される。
【００４８】
同様に、基板２００の前面における左側の縁付近に配置された、第２光源２０４ｂから出射された光は、基板２００の中央部に向かって、基板２００の前面（表面）に平行な方向に進み、第２入光部３０８ａから第２導光部３０８の内部に入射する。そして、第２導光部３０８の内部に入射した光は、基板２００の前面（表面）に平行な方向に進み、第２反射部３０８ｃによって反射されて、進行方向が基板２００の前面に垂直な方向へと変化する。第２反射部３０８ｃによって反射された光は、第２導光部３０８の内部通って、第２発光部３０８ｂへと到達する。第２発光部３０８ｂへと到達した光は、基板２００の前面において、第２導光部３０８の外部へ発射される。
【００４９】
上記したように、第２反射部３０６ｃ、３０８ｃとして、第２導光部３０６、３０８の背面側が凹凸形状に加工されている。そのため、遊技者には、第２発光部３０６ｂ、３０８ｂが面発光しているように見えることとなる。
【００５０】
第２導光部３０６、３０８の内部に入射した光は、上記したように、第２光源２０４ａ、２０４ｂから出射された光は、基板２００の前面（表面）に平行な方向へと進む。そのため、第２導光部３０６、３０８の内部に入射した光の一部は、第２反射部３０６ｃ、３０８ｃによって反射されず、第１導光部３０２、３０４内へと進入する場合がある。しかしながら、第２光源２０４ａ、２０４ｂから出射され、第１導光部３０２、３０４内へと進した光は、進行方向が基板２００の前面（表面）に平行な方向であるため、第１発光部３０２ｂ、３０４ｂへと到達することは基本的にはない。また、上記したように、第２導光部３０６、３０８よりも第３導光部３１０の方が、基板２００の前面から離隔される。これにより、第２導光部３０６、３０８の内部に入射した光が、第３発光部３１０ｂへと到達することも基本的にはない。このようにして、各光源２０２ａ、２０２ｂ、２０４ａ、２０４ｂ、２０６から出射した光が互いに干渉することが抑制される。これによって、各光源２０２ａ、２０２ｂ、２０４ａ、２０４ｂ、２０６から出射した光が互いに干渉してしまい、演出効果が低下することを抑制することが可能となる。
【００５１】
また、図３に示すように、基板２００の前面に配置された、第３光源２０６から出射された光は、基板２００の前面（表面）に垂直な方向に進み、第３入光部３１０ａから第３導光部３１０の内部に入射する。そして、第３導光部３１０の内部に入射した光は、第３導光部３１０の内部通って、第３発光部３１０ｂへと到達する。第３発光部３１０ｂへと到達した光は、基板２００の前面において、第３導光部３１０の外部へ発射される。このように、基板２００の前面における第３発光部３１０ｂの鉛直下方に第３光源２０６が配置される。上記したように、第３入光部３１０ａおよび第３発光部３１０ｂの表面は粗面加工されている。そのため、遊技者には、第３光源２０６の光が拡散された状態で見えることとなる。
【００５２】
このように、本実施形態では、１の基板２００と１の導光体３００を用いたものでありながら、遊技者には３種の発光形態で光ってるように見えることとなる。これにより、低コスト化および演出効果を向上することができる。また、基板２００に設けられた貫通孔２１０、２１２を介して基板２００の背面側に配置された第１光源２０２ａ、２０２ｂから出射された光を基板２００の表側へと導くことができるので、設計自由度が向上する。ただし、３種の発光形態ではなく、例えば、２種の発光形態を有するものであってもよい。具体的には、例えば、第１光源２０２ａ、２０２ｂと第２光源２０４ａ、２０４ｂの組み合わせ、または、第１光源２０２ａ、２０２ｂと第３光源２０６との組み合わせであってもよい。また、第１光源２０２ａ、２０２ｂ、第２光源２０４ａ、２０４ｂおよび第３光源２０６は、それぞれ、少なくとも１以上であればよく、発光体（ＬＥＤ）の個数は特に限定されるものではない。
【００５３】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００５４】
上記実施形態では、基板２００には、貫通孔２１０、２１２が形成され、貫通孔２１０、２１２に第１導光部３０２、３０４が挿入される場合を示したが、本発明はこれに限定されるものではない。すなわち、第１導光部３０２、３０４は、基板２００の後面側に配置される第１入光部３０２ａ、３０４ａから入射した光を、基板２００の前面側に配置された第１発光部３０２ｂ、３０４ｂへと導くことができればよい。例えば、基板２００の外周から回り込むように第１導光部３０２、３０４を設けてもよい。
【符号の説明】
【００５５】
１００  照明装置
２００  基板
２０２ａ、２０２ｂ  第１光源
２０４ａ、２０４ｂ  第２光源
２１０、２１２  貫通孔
３００  導光体
３０２、３０４  第１導光部
３０２ａ、３０４ａ  第１入光部
３０２ｂ、３０４ｂ  第１発光部
３０６、３０８  第２導光部
３０６ａ、３０８ａ  第２入光部
３０６ｂ、３０８ｂ  第２発光部
【図１】
2020028377.tif 000003
【図２】
2020028377.tif 000004
【図３】
2020028377.tif 000005
【図４】
2020028377.tif 000006
【図５】
2020028377.tif 000007
【図６】
2020028377.tif 000008
【図７】
2020028377.tif 000009